(57)【要約】【課題】安全ベルト拘束装置を装備されている乗物に調和するように容易にかつ経済的に変更することができるようにする。【解決手段】シートベルト締結部品を覆うためのカバーを開示する。カバーは、シートベルト締結部品の一部を覆うように設けられた第１の表面を含んでいる。カバーは、シートベルト締結部品に選択的に固定したり、シートベルト締結部品から取り外したりできる。カバーは、容易に取り付け取り外しができるので、使用者は、色または形状の選択ができ、任意の美的外観を実現することができる。【選択図】    図４
2005162202.tif 000002
【特許請求の範囲】
【請求項１】
安全ベルト装置であって、前記安全ベルト装置は、
選択的にベルト締結部品に係合でき、かつ前記ベルト締結部品から取り外しできるように設けられたカバープレート、
を含むことを特徴とする安全ベルト装置。
【請求項２】
前記カバープレートは、前記ベルト締結部品の少なくとも一部分を覆う表面と、前記カバープレートを前記ベルト締結部品に固定するための仕組みと、を含むことを特徴とする請求項１に記載の安全ベルト装置。
【請求項３】
前記カバープレートは、前記ベルト締結部品の反対側に係合できるように設けられた少なくとも２つの突起物を含むことを特徴とする請求項２に記載の安全ベルト装置。
【請求項４】
前記ベルト締結部品は、シートベルトラッチであることを特徴とする請求項１に記載の安全ベルト装置。
【請求項５】
前記ベルト締結部品は、シートベルトバックルであることを特徴とする請求項１に記載の安全ベルト装置。
【請求項６】
前記カバープレートは、乗物の内装に実質的に調和するように色付けされていることを特徴とする請求項１に記載の安全ベルト装置。
【請求項７】
前記カバープレートは、前記ベルト締結部品を有する乗物の外装に実質的に調和するように色付けされていることを特徴とする請求項１に記載の安全ベルト装置。
【請求項８】
前記カバープレートは、前記乗物または乗物製造者を識別するロゴまたは商標と実質的に同じ形状であることを特徴とする請求項１に記載の安全ベルト装置。
【請求項９】
安全ベルト装置であって、前記安全ベルト装置は、
ベルトバックルと、
前記バックルと確実に係合するように設けられたベルトラッチと、
前記ベルトバックルおよび前記ベルトラッチの少なくとも１つに選択的に係合でき、かつ前記ベルトバックルおよび前記ベルトラッチの前記少なくとも１つから取り外しできるように設けられたカバープレートと、
を含むことを特徴とする安全ベルト装置。
【請求項１０】
前記カバープレートは、前記ベルトバックルおよび前記ベルトラッチの少なくとも１つの少なくとも一部を覆う表面と、前記ベルトバックルおよび前記ベルトラッチの前記少なくとも１つにカバープレートを固定する仕組みと、
を含むことを特徴とする請求項９に記載の安全ベルト装置。
【請求項１１】
前記カバープレートは、前記ベルトバックルおよび前記ベルトラッチの前記少なくとも１つの反対側に係合できるように設けられた少なくとも２つの突起物を含むことを特徴とする請求項１０に記載の安全ベルト装置。
【請求項１２】
前記カバープレートは、乗物の内装に実質的に調和するように色付けされていることを特徴とする請求項９に記載の安全ベルト装置。
【請求項１３】
前記カバープレートは、前記ベルトバックルおよび前記ベルトラッチの前記少なくとも１つを有する乗物の外装に実質的に調和するように色付けされていることを特徴とする請求項９に記載の安全ベルト装置。
【請求項１４】
シートベルト締結部品を覆うためのカバーであって、
前記カバーは、前記シートベルト締結部品の一部を覆うように設けられた第１の表面と、前記第１の表面を前記シートベルト締結部品に選択的に固定し取り外しをする手段と、
を含むことを特徴とするカバー。
【請求項１５】
前記選択的に固定し取り外しをする手段は、
前記第１の表面の外周部から延在している少なくとも１対の向き合った側壁と、
前記向き合った側壁のそれぞれの終端から内向きに延在し、前記シートベルト締結部品を前記第１の表面により覆われた前記部分の反対側に係合できるように設けられた複数の突起物と、
を含むことを特徴とする請求項１４に記載のカバー。
【請求項１６】
前記ベルト締結部品は、シートベルトラッチであることを特徴とする請求項１４に記載のカバー。
【請求項１７】
前記ベルト締結部品は、シートベルトバックルであることを特徴とする請求項１４に記載のカバー。
【発明の詳細な説明】
【技術分野】
【０００１】
本発明は、一般に安全ベルト拘束装置の分野に関するものである。特に、本発明は、シートベルトバックル用およびシートベルト装置の他の部品用のカバーに関するものである。
【背景技術】
【０００２】
現在、安全ベルト拘束装置の外観は、この安全ベルト拘束装置が装備されている乗物に対して個別化されていない。
【発明の開示】
【発明が解決しようとする課題】
【０００３】
したがって、安全ベルト拘束装置が装備されている乗物に調和するように容易にかつ経済的に変更することができる安全ベルト拘束装置に対するニーズが未だある。
【課題を解決するための手段】
【０００４】
本発明のひとつの好ましい実施形態によれば、ベルト締結装置が提供される。このベルト締結装置は、ベルト締結部品に対して選択的に係合および係合解除するように設けられたカバープレートを備えている。
【０００５】
カバープレートは、ベルト部品の少なくとも一部分を覆う少なくとも１つの表面と、そのベルト締結部品にそのカバープレートを固定する手段とを含んでいる。その固定手段は、ベルト締結部品の反対側に係合するように設けられた少なくとも２つの突起物を含んでいる。
【０００６】
ベルト締結部品は、シートベルトラッチである。また、ベルト締結部品は、シートベルトバックルである。
【０００７】
本発明の他の好ましい実施形態によれば、カバープレートは、実質的に乗物の内装に調和するように色付けされている。更に他の好ましい実施形態において、カバープレートは、ベルト締結部品を備えている乗物の外装に実質的に調和するように色付けされている。
【０００８】
本発明の更に他の好ましい実施形態によれば、ベルトバックルと、そのバックルに確実に係合するように設けられたベルトラッチと、少なくとも１つのベルトバックルおよびベルトラッチと選択的に係合したり、少なくとも１つのベルトバックルおよびベルトラッチから取り外したりできるように設けられたカバープレートとを含むベル締結装置が提供されている。
【０００９】
カバープレートは、少なくとも１つのベルトバックルおよびベルトラッチの少なくとも一部を覆う少なくとも１つの表面と、ベルト締結部品にそのカバープレートを固定する手段とを含んでいる。
【００１０】
本発明の更なる好ましい実施形態は、シートベルト締結部品を覆うためのカバーを含んでいる。このカバーは、シートベルト締結部品の少なくとも一部を覆うように設けられた第１の表面を含んでおり、その第１の表面は、着脱自在にシートベルト締結部品に固定されている。
【００１１】
カバーは、その第１の表面の外周部から延在している少なくとも１対の向き合った側壁と、その向き合った側壁の各終端から内向きに延在している突起物とを含んでいる。その突起物は、第１の表面によって覆われた一部分の反対側にベルト締結部品を係合できるように設けられてもよい。
【００１２】
前述の一般的記載および以下の詳細な記載は、ともに典型例を示し、説明したに過ぎず、発明の特許請求の範囲を限定するものではない。
【００１３】
本発明の上記および上記以外の特徴、外観、および利点は、以下の記載、添付の特許請求の範囲、および以下で簡単に説明する図面に示された添付の好ましい典型的な実施形態から明白となるであろう。
【発明を実施するための最良の形態】
【００１４】
以下、図面を用いて本発明を実施するための最良の形態について説明する。
図１は、本発明の好ましい実施形態の一例をによるシートベルト装置１００の説明図である。
シートベルト装置１００は、例えば乗用車のような乗物に適用することができる。このシートベルト装置１００は、例えば乗物の運転席または助手席のようなシート１１０に着座している乗員を拘束するためのシートベルト１２０を備えている。図示されているシートベルトは、ショルダーベルトを含んでいる。他の実施形態のシートベルト装置はラップ（腰）ベルトのみを含んでいる。シートベルト１２０は従来公知のシートベルトであり、当該技術分野の当業者によく知られている。
【００１５】
シートベルトは、ベルトラッチ１３０および対応するベルトバックル１４０からなる締結部品によって締結される。このような締結部品１３０,１４０は、当該技術分野ではよく知られている。以下、締結部品について図２を参照して更に詳細に述べる。
【００１６】
本発明の実施の形態のこの例において、締結部品１３０,１４０の色は望まれる美的効果を実現するように選択されている。この色は、例えばシート１１０のような乗物の内装の色に調和されているかあるいは乗物の内装の色に応じて選択されている。例えば、もしシート１１０を含む乗物の内装が赤色である場合、ベルトラッチ１３０およびベルトバックル１４０もまた赤色にされる。また他の例として、ベルトラッチ１３０は青色に形成される一方、バックル１４０は白色に形成される。実施形態の他の例においては、締結部品１３０,１４０の色は、乗物の外装の色に対応するように選択されている。
【００１７】
実施形態の他の例によれば、締結部品１３０,１４０の形状は、拘束装置が装備されている乗物に対応して選択される。例えば、締結部品１３０,１４０は、乗物のブランドを強調しかつ強くするためにその乗物のロゴに対応する形状を有している。
【００１８】
図２は、一方の締結部品であるベルトラッチ１３０の拡大詳細図である。ベルトラッチ１３０は把持部１３２とラッチ部１３４を含んでいる。例えば、把持部１３２は硬質樹脂を用いて射出成形により製造され、かつベルトラッチ１３０をバックル１４０（図１）に係合できるようにするため乗員の手で容易に握れるように設定されている。
【００１９】
ラッチ部１３４は、シートベルト１１０が締結されるときバックル１４０に物理的に係合するベルトラッチ１３０の部分である。したがって、ラッチ部１３４は、例えばステンレス鋼のような高強度の金属で製造されるのが望ましい。バックルと係合可能にするために、ラッチ孔１３６がラッチ部１３４に設けられている。このような構造は、当該技術分野の当業者によく知られている。
【００２０】
シートベルト１１０を締結するため、ベルトラッチ１３０がバックル１４０と係合されているとき、ベルトラッチ１３０の把持部１３２のみが見えるようになる。ラッチ部１３４は、完全にバックル１４０内に挿入されるようになる。その場合、ベルトラッチ１３０の把持部１３２の色は、望まれる美的効果を実現するために選択されている。
【００２１】
図３は、望まれる美的効果の実現を容易にするための本発明の実施形態の一例による着脱可能なのカバー１５０を示す図である。カバー１５０はベルトラッチ１３０に容易にかつ堅固に係合されるとともに、ベルトラッチ１３０から取り外されるように適用されている。このようにカバー１５０を適用することは、種々の望まれる効果を実現するために、ユーザーに種々の色を選択可能にしている。例えば、ユーザーは、ある場合はベルトラッチ１３０を乗物の内装に調和させたいと望むし、また他の場合はベルトラッチ１３０を乗物の外装に調和させたいと望む。更に他の場合は、ベルトラッチ１３０は例えば華麗な外観のような変わった外観を呈するように望まれる。このように、本発明の実施形態によれば、着脱可能なカバーにより、ユーザーは、ベルトラッチ１３０の外観を容易に変更することができるようにされている。類似のカバーが、例えばバックル１４０（図１）のような他の締結部品に対しても同様に適用される。
【００２２】
また、前述のように、カバー１５０の形状は、乗物製造者が望む形状に対応して必要に応じて変更される。例えば、カバー１５０は、製造者の一般的ロゴまたは特定ロゴ、あるいはこの装置が装備されている特定の乗物に付与された商標と同じ一般的形状にされる。一方、カバーは、安全ベルト装置の製造者または供給者を識別できるようにしたロゴを付けることもできる。
【００２３】
再び図３を参照すると、カバー１５０は、ベルトラッチ１３０の少なくとも一部を覆うように設けられたカバープレート１５２を含んでいる。カバープレート１５２は、ベルトラッチ１３０とバックル１４０との係合を妨げることなく、ベルトラッチ１３０をできるだけ多く覆うよう構成されている。その場合、カバープレート１５２の大きさは、ベルトラッチ１３０の把持部１３２の大きさと実質的に同じである。
【００２４】
一連の壁１５４ａ,１５４ｂ,１５４ｃがカバープレート１５２の外周縁から延設されている。壁１５４ａ,１５４ｂ,１５４ｃはベルトラッチ１３０の側面を覆う大きさにされている。更にまた、壁１５４ａ,１５４ｂ,１５４ｃは、ベルトラッチ１３０とバックル１４０との係合を妨げないようにされている。カバープレート１５２および壁１５４ａ,１５４ｂ,１５４ｃは、空洞１５６が形成されるように組み合わされ、その空洞の中にベルトラッチ１３０が収容されている。
【００２５】
カバー１５０をベルトラッチ１３０に固定するために、突起１５８が、壁１５４ａ,１５４ｂ,１５４ｃの端から内向きに延設されている。図示されている好ましい実施形態において、突起１５８は、３つの壁１５４ａ、１５４ｂ、１５４ｃのそれぞれから延設されている。他の実施形態において、突起１５８は、カバープレート１５２により覆われた表面の反対側のベルトラッチ１３０の表面に係合できるように設けられている。
【００２６】
本発明の実施形態の他の例では、カバー１５０は、壁１５４ａ,１５４ｂ,１５４ｃを含まなくてもよい。むしろ、突起は、カバープレート１５２の外周縁から延設され、ベルトラッチ１３０の側面に係合するように設けられてもよい。
【００２７】
図４は、カバー１５０のベルトラッチ１３０への組み付けを示す図である。図４は、カバー１５０およびベルトラッチ１３０のそれぞれのＩＶ−ＩＶに沿う断面図である。前述の通り、カバープレート１５２および側壁１５４ａ,１５４ｂ,１５４ｃにより形成された空洞１５６には、ベルトラッチ１３０の把持部１３２を収容するための十分な大きさに設定されている。突起１５８は、カバープレート１５２によって覆われた側の反対側の把持部１３２の側に係合するように設けられている。
【００２８】
カバー１５０は、壁１５４ａ,１５４ｂ,１５４ｃにいくらかの弾力的な曲げまたは柔軟性を与える樹脂で製造することが望ましい。これにより、壁は、突起１５８がベルトラッチ１３０の把持部１３２の周囲を通過するように撓むようになる。このように壁が撓むことにより、カバー１５０がベルトラッチ１３０に取り付けられるようになる。同様に、カバー１５０を取り外す場合、突起１５８をベルトラッチから外すために、壁が撓められるようになる。
【００２９】
以上、特定の締結部品すなわちシートベルトラッチ１３０用のカバーについて述べてきた。本発明の範囲内で、例えばシートベルトバックルのような他の締結部品に対して類似のカバーが考えられることは理解される。
【００３０】
このように、シートベルト締結部品の色、形状、または他の外観は、望まれる美的外観を実現するために容易に変更することができる。
【００３１】
本発明を好ましい実施形態の観点から実施の形態について説明してきたが、本発明は前述の実施の形態に限定されるものではないことは理解されるであろう。添付の特許請求の範囲がそのような変形、類似の機構および手順すべてを包含していることは理解される。
【図面の簡単な説明】
【００３２】
【図１】本発明の好ましい実施形態によるシートベルト装置の説明図である。
【図２】本発明の好ましい実施形態によるシートベルトラッチの斜視図である。
【図３】本発明の好ましい実施形態によるカバーの斜視図である。
【図４】図２および図３に示す部品のＩＶ−ＩＶに沿った断面図である。
【符号の説明】
【００３３】
１００…シートベルト装置、１１０…シート、１２０…シートベルト、１３０…ベルトラッチ、１３２…把持部、１４０…ベルトバックル、１５０…カバー、１５２…カバープレート、１５４ａ,１５４ｂ,１５４ｃ…壁、１５６…空洞、１５８…突起
【図１】
2005162202.tif 000003
【図２】
2005162202.tif 000004
【図３】
2005162202.tif 000005
【図４】
2005162202.tif 000006
【手続補正書】
【提出日】平成17年1月26日(2005.1.26)
【手続補正１】
【補正対象書類名】図面
【補正対象項目名】全図
【補正方法】変更
【補正の内容】
【図１】
2005162202.tif 000007
【図２】
2005162202.tif 000008
【図３】
2005162202.tif 000009
【図４】
2005162202.tif 000010
【外国語明細書】
2005162202000001.pdf